(57)【要約】【課題】簡素かつ安価に構成され、しかも高忠実度の音を再現できるスピーカシステムを提供する。また、外形的デザインの自由度を確保し、なおかつ部品点数及び各部品の嵩張りまでも減少させることを課題とする。【解決手段】対面する膜（Ｊ），（Ｋ）の縁部（１２），（３２），（３４）を封じてなる袋の間隙（ｔ）に充填物としてゲル（９）が充填されることにより板厚（Ｗ）と剛性を保持するゲル板（１１），（２１），（３１）に穴（１５），（１６），（２３）を設け、該穴（１５），（１６），（２３）を塞ぐようにスピーカユニット（１）を配設した。【選択図】    図１
2004312471.tif 000002
【特許請求の範囲】
【請求項１】
対面する膜（Ｊ），（Ｋ）の縁部（１２），（３２），（３４）を封じてなる袋の間隙（ｔ）に充填物（９）が充填されることにより板厚（Ｗ）と剛性を保持するゲル板（１１），（２１），（３１）に穴（１５），（１６），（２３）を設け、該穴（１５），（１６），（２３）を塞ぐようにスピーカユニット（１）を配設したことを特徴とするスピーカシステム。
【請求項２】
前記充填物（９）としてゲル（９）を封入したことを特徴とする請求項１に記載のスピーカシステム。
【請求項３】
前記ゲル板（２１）の背後で前記スピーカユニット（１）を背面から被覆可能な吸音部材（２２）を備えたことを特徴とする請求項１又は請求項２に記載のスピーカシステム。
【請求項４】
前記吸音部材（２２）として安定的に自立可能な外観形状を維持する材料を用い内部に前記スピーカユニット（２０）を保持する凹部（２４）を備えたことを特徴とする請求項１〜請求項３の何れか１項に記載のスピーカシステム（２０）。
【請求項５】
前記吸音部材（１４）としての硬質樹脂短管（１４）と、該硬質樹脂短管（１４）を保持するネット（１３）と、を備えたことを特徴とする請求項１〜請求項４の何れか１項に記載のスピーカシステム。
【請求項６】
前記硬質樹脂短管（１４）は肉厚０．５〜１．５ミリメートル、外径５〜１５ミリメートル、管長５〜２０ミリメートルとし、前記ネット（１３）は前記硬質樹脂短管（１４）の外形よりも細かい網目により通気自在としたことを特徴とする請求項１〜請求項５の何れか１項に記載のスピーカシステム。
【請求項７】
前記充填物（９）又はゲル（９）を封入する袋は膜厚（Ａ）が０．２〜２ミリメートルのシリコンゴムを主材料とすることを特徴とする請求項１〜請求項６の何れか１項に記載のスピーカユニット。
【請求項８】
前記ゲル（９）の主材料にはスチレンブロック共重合体を用いたことを特徴とする請求項１〜請求項７の何れか１項に記載のスピーカシステム。
【請求項９】
前記ゲル板（１１），（２１），（３１）を球面状、鍋状、皿状、板状又樋状（とい）に形成したことを特徴とする請求項１〜請求項８の何れか１項に記載のスピーカシステム。
【発明の詳細な説明】
【０００１】
【発明の属する技術分野】
本発明は、共鳴箱としてのスピーカボックスを不要とする簡素な構成のスピーカシステムに関する。
【０００２】
【従来の技術】
従来、この種の技術として、本願発明者による特許出願済みの特許文献１が公開されている。特許文献１（図６）では、スピーカシステムの主要形状を構成するため、音響伝搬特性の優れた空間充填材料として、寝具店に市販されている枕の材料である硬質樹脂短管が紹介されている。
【０００３】
硬質樹脂短管は、指で摘んでも潰れない固さのポリプロピレン等の高分子系の硬質樹脂管材料の外径８ミリメートル，肉厚１ミリメートル，長さ１０ミリメートルのものが、良い音を出すのに好適であることが実験により確かめられている。そして、主に枕の材料として周知の硬質樹脂管の多数を通気性の良好な網袋等で包んだ内部にスピーカユニットを配設することにより、心地良い音を出すようにした枕を構成するスピーカシステムもあった。
【０００４】
又、特許文献１（図１３）には、バッフル板の代わりに配設した袋入りのゲルを主体とする穴明きマットと、吸音部材としてのカールロックと、が紹介されている。尚、前記カールロックはペットボトルの再生利用品「カールロック（高木化学研究所の登録商標）」のことである。前記ゲルの主材料にはアクリルアミド架橋体でなる高吸水性ポリマーを用いた。例えば、家庭用蓄冷剤として一般に市販され普及している袋入りゲルであり、そのゲルは、こんにゃく状の粘性、剛性及び弾性で形状維持するため、本発明の実施に良好な結果をもたらしたことは、特許文献１で開示した通りである。
【０００５】
【特許文献１】
特開２００２−２８１５７９号公報（図６及び図１３）
【０００６】
【発明が解決しようとする課題】
従来例に続き、簡素かつ安価に構成され、しかも高忠実度の音を再現できるスピーカシステムを提供することが課題である。
しかし、重低音まで含む高忠実度で心地良い良い音を再現するために、ある程度は外形的デザインに制約があった。
そこで、外形的デザインの自由度を確保し、なおかつ部品点数及び各部品の嵩張りまでも減少させることを課題とする。
【０００７】
【課題を解決するための手段】
請求項１に係る発明は、対面する膜（Ｊ），（Ｋ）の縁部（１２），（３２），（３４）を封じてなる袋の間隙（ｔ）に充填物（９）が充填されることにより板厚（Ｗ）と剛性を保持するゲル板（１１），（２１），（３１）に穴（１５），（１６），（２３）を設け、該穴（１５），（１６），（２３）を塞ぐようにスピーカユニット（１）を配設したことを特徴とするスピーカシステム（１０），（２０）である。
【０００８】
このようにしたので、前記ゲル板（１１），（２１），（３１）によるバッフル板が形成され、濁り音、歪音の原因になる不正振動を前記ゲル板が吸収し、かつ背面音遮蔽板（以下、「パッシブ・ラジエター」又は「音響共鳴反射板」ともいう）としての効果も発揮できる。
【０００９】
又、この再生音は特定の共振周波数を不自然に強調しないので、聴取者を飽きさせず、疲労させず、会話を遮る度合いが少ないので、聞いていて心地よい。
【００１０】
又、前記ゲル板（１１），（２１）を嵩張らせるように封入される充填物（９）が抜かれていれば、前記ゲル板（１１），（２１）の形状を維持していた剛性が失われ、体積は収縮するので、スピーカシステム（１０），（２０）が不要になってから廃棄処分する時の外、組み立て前の構成部品が嵩張らずに済む。
【００１１】
請求項２に係る発明は、前記充填物（９）としてゲル（９）を封入したことを特徴とする請求項１に記載のスピーカシステム（１０），（２０）である。このようにしたので、濁りのない澄んだ音を出せる。
【００１２】
請求項３に係る発明は、前記ゲル板（２１）の背後で前記スピーカユニット（１）を背面から被覆可能な吸音部材（２２）を備えたことを特徴とする請求項１又は請求項２に記載のスピーカシステム（２０）である。このようにしたので、前記スピーカユニット（２０）の外、前記ゲル板（２１）と吸音部材（２２）の僅か２点でスピーカシステム（２０）を構成できる。
【００１３】
請求項４に係る発明は、前記吸音部材（２２）として安定的に自立可能な外観形状を維持する材料を用い内部に前記スピーカユニット（２０）を保持する凹部（２４）を備えたことを特徴とする請求項１〜請求項３の何れか１項に記載のスピーカシステム（２０）である。このようにしたので、前記吸音部材（２２）の前記凹部（２４）に前記スピーカユニット（１）を、嵌め込んで前記ゲル板（２１）を覆い被せるだけの僅かで容易な工程により組み立てることができる。
【００１４】
請求項５に係る発明は、前記吸音部材（１４）としての硬質樹脂短管（１４）と、該硬質樹脂短管（１４）を保持するネット（１３）と、を備えたことを特徴とする請求項１〜請求項４の何れか１項に記載のスピーカシステム（１０）である。このようにしたので、通常の寝具店でも枕の材料として販売されている安価で入手容易な材料により簡単に製造できる。
【００１５】
請求項６に係る発明は、前記硬質樹脂短管（１４）は肉厚０．５〜１．５ミリメートル、外径５〜１５ミリメートル、管長５〜２０ミリメートルとし、前記ネット（１３）は前記硬質樹脂短管（１４）の外形よりも細かい網目により通気自在としたことを特徴とする請求項１〜請求項５の何れか１項に記載のスピーカシステム（１０）である。このようにしたので、本発明の実施者にとっては、失敗せず、試行錯誤の無駄も無く、最も効果的な結果を確実に得られる。
【００１６】
請求項７に係る発明は、前記充填物（９）又はゲル（９）を封入する袋は膜厚（Ａ）が０．２〜２ミリメートルのシリコンゴムを主材料とすることを特徴とする請求項１〜請求項６の何れか１項に記載のスピーカユニット（１０），（２０）である。このようにしたので、金型成形等による大量生産対応に適し、製造単価を下げることができる。
【００１７】
請求項８に係る発明は、前記ゲル（９）の主材料にはスチレンブロック共重合体を用いたことを特徴とする請求項１〜請求項７の何れか１項に記載のスピーカシステム（１０），（２０）である。例えば、家庭用蓄冷剤として一般に市販され普及している袋入りゲルを該当部に用いて試作実験した。このようにしたので、本発明の実施者にとっては、失敗せず、試行錯誤の無駄も無く、最も効果的な結果を確実に得られる。
【００１８】
請求項９に係る発明は、前記ゲル板（１１），（２１），（３１）を球面状、鍋状、皿状、板状又樋状（とい）に形成したことを特徴とする請求項１〜請求項８の何れか１項に記載のスピーカシステム（１０），（２０）である。このようにしたので、所望のデザインの形状を容易に実現できる。例えば、スピーカシステム（１０），（２０）の全体を球形、半球形、饅頭形、筒形、あるいは紡錘形の縦断面等、いかようにも形成できるので、デザインの自由度が高い。
【００１９】
【発明の実施の形態】
以下、図面に沿って、本発明の実施形態について説明する。
尚、全図面に亘り、同一機能効果の部位には同一符号を付し、説明の重複を避けている。
【００２０】
［第１の実施形態］
図１は本発明による第１の実施形態を示すスピーカシステム１０の断面図である。図１の矢印Ｆ方向で示す前面は、バッフル板を構成するゲル板１１が主体となり、ゲル板１１の縁部１２で袋状のネット１３を係止し、ゲル板１１の裏面に固定されたスピーカユニット１及び硬質樹脂短管１４が充填されることにより、ゲル板１１とネット１３で囲まれた空間が、所定の体積を保持し、嵩張りの有る軟体構造としての形状が維持されている。
【００２１】
すなわち、スピーカシステム１０の全体の構造は、木製又は樹脂製の硬質外殻を有する周知のスピーカボックスと異なり、骨組、枠組及び硬質外殻等を有しない軟体構造であり、そのスピーカシステム１０のほぼ中心部にスピーカユニット１が配設されている。スピーカユニット１は、周知のようにすり鉢形の振動板２が、鉄製のフレーム３の中で振動自在に支承されている。
【００２２】
フレーム３の中奥部には強力な永久磁石４が配設され、その永久磁石４により均等かつ強力な磁界を形成するギャップ５の間で振動自在に配設されたボイスコイル６が、音声電流に比例して発生する力を振動板２に伝える。この振動板２の表面は、概ね図示せぬ聴取者の耳に向けて対面させような方向で通気自在に固定されることが望ましい。
【００２３】
振動板２が破損しないように、防護用の前スクリーン７と後スクリーン８がフレーム３の前後に配設されている。特に、後スクリーン８は充填されている硬質樹脂短管１４が接触する不具合を防止している。又、スピーカシステム１０の外部に用意されたアンプ等からスピーカユニット１に音声電流を供給する電線及びターミナルその他の脆弱な部分を保護する構成に関しては、当業者にとって容易に想到できる内容である為、具体的な説明を省略する。
【００２４】
ゲル板１１そのものの外観は、概ね中華鍋のような形状で、中心部を貫通する穴１６が設けられ、ゲル板１１の全面にわたって、ほぼ均等な板厚Ｗを確保し、所定の剛性と弾性を維持することができるように構成されている。すなわち、偏平ドーナツ形の風船構造（以下、「偏平ドーナツ形風船」又は単に「袋」ともいう）でなるゲル板１１は、膜厚Ａが０．２〜２ミリメートルのシリコンゴムを主材料として、偏平ドーナツ形風船の袋を構成し、この袋の内部にはゲルが封入されている。
【００２５】
尚、本願発明の時点では、袋の内部にゲル９を封入して、好結果を得られたが、将来は特定の充填物を気体又は液体の状態で封入しても、同等の効果が得られる可能性もある。例えば、空気や水でも良ければ、安上がりで済む。このことが、請求項１にいう「充填物」である。
【００２６】
尚、袋の内部にを封入するゲル９は、常温中でかろうじて自己形状を維持する程度の粘性、剛性と弾性を有する材質でなるゼラチン又はこんにゃく状のゲル９であり、ゲル９の主材料にはスチレンブロック共重合体を用いた。このスチレンブロック共重合体の粘性は、常温で極めて安定しており、シリコンゴムとの間で化学的劣化することもない。ちなみに、ひじ当てクッション等の緩衝材の用いられており、入手容易で安価である。
【００２７】
また、バッフル板を構成するゲル板１１は、背面音遮蔽板（以下、「パッシブ・ラジエター」又は「音響共鳴反射板」という）として、重低音を生かす。これはスピーカユニット１の振動板２が「能動的放射機能」であることに対し、その振動板２からの「共鳴による受動的な振動を受け継いで、その振動を振動板２と協調しながら放射する機能」を備えていることによる。
【００２８】
そして、音声振動のうち心地良い聴感を害する有害な干渉波等を、ゲル等が吸収する効果に関しては、文献１で開示した通りである。適度な粘性を有する前記ゲルには、濁り音の原因となる干渉波等を良く吸収する作用が有るものと推定されている。
【００２９】
このように、ゲル板１１は、偏平ドーナツ形風船の内部にゲル９が封入され、中華鍋のような形状で、均等な板厚Ｗを確保し、所定の剛性と弾性を維持することができる。そして、ゲル板１１を貫通する穴１６を塞ぐようにゲル板１１の湾曲した内側から外向きにスピーカユニット１を取り付けている。スピーカユニット１にはフレーム３の周辺部に平面部（以下、「取付しろ」という）が設けられているので、この取付しろを利用して、穴１６の周縁に接着剤で固定する。
【００３０】
尚、ゲル板１１にスピーカユニット１を取り付ける方法は、ゲル板１１の前面から穴１６の奥へと嵌め込んでもよく（図示せず）、接着剤で固定する外の固定手段を用いても構わない。
【００３１】
又、スピーカユニット１は一般的なダイナミック型スピーカを例示したが、同等効果のものなら種類を問わずに採用できる。さらに、中華鍋のような形状のゲル板１１は、意匠的な美観上の要望に合わせて、球面状、鍋状、皿状、板状又樋状（とい）に形成し、多様な変形も可能であり、設計の自由度が大きい。例えば、スピーカシステムの全体を球形、半球形、饅頭形、筒形、あるいは紡錘形の縦断面等、いかようにも形成できるので、デザインの自由度が高い。
【００３２】
又、ゲル板１１を矢印Ｆ方向から見た正面図と、ネット１３を矢印Ｒ方向から見た背面図は省略しているが、本発明の技術思想によれば、外観から美感を起こさせるような形状に設計する自由度を多く残すものであり、例えば円形、楕円計、正方形、長方形、ひし形、星型その他の形状を自由に選択できる。但し、実施の一形態として、正面と背面が円形に見えるものを例示して説明している。
【００３３】
又、スピーカシステム１０は、室内の天井から紐や鎖等で吊り下げる使用法の外、テーブルその他の家具又は棚等に載置し、部屋の壁際に立て掛ける、いす、枕、クッションの一部を形成する等の利用形態（図示せず）が考えられる。そして、スピーカシステム１０を、縦・横・上・下・斜めの何れの向きに設置するかも自由である。
【００３４】
尚、予め袋状にしたネット１３に硬質樹脂短管１４を充填した市販の枕のようなものを、スピーカユニット１が取り付けられたゲル板１１の背後に軽く押し当てる程度で、簡単に取り付けるような構成（図示せず）でも良い。この場合は、ゲル板１１の縁部１２にネット１３を縫い付ける程に丁寧な加工を施さなくとも、充填された硬質樹脂短管１４がこぼれるような不具合は生じない。
【００３５】
このように、外観から美感を起こさせるような形状に設計する自由度を多く残す簡素な構成により、重低音も含めて澄んだ音を高忠実度で再生できるスピーカシステム１０を安価に提供できる。
【００３６】
［第２の実施形態］
図２は、本発明による第２の実施形態を示すスピーカシステム２０の断面図であり、バッフル板を形成するゲル板２１の基本構成はゲル９を封入して剛性を確保したゲル板１１と、ほぼ同一であり、相違点は外観から美感を起こさせるような意味における形状である。
【００３７】
尚、類似例として特許文献１（図１３）に、袋入りのゲルを主体とする穴明きマット式の背面音遮蔽板をバッフル板の代わりに用い、この背面音遮蔽板の背後は、通気性と弾性に富み、かつ適度な剛性も備えた繊維構造の部材であるカールロック部材により吸音部材を構成し、中小型軽量のスピーカユニットを所定の位置に柔軟に保持するようにしたものが開示されている。
【００３８】
図２に示すスピーカシステム２０が、特許文献１（図１３）と異なる点は、外殻部材を用いないことである。すなわち、本発明の技術思想によれば、硬くて重厚な共鳴箱とバッフル板、パンチングホード等の外殻部材、サランネット等の枠材を用いることなく、全体的に柔軟な構造でありながら、周知の据え置き型スピーカボックスのように、スピーカユニット１を正面に向けて立てた状態で安定した設置ができる。
【００３９】
このように、立てた状態で安定した設置を可能にするためには、直方体又は立方体の形状が望ましいが、少なくとも、底面が平らで重心が高すぎない条件の範囲内であれば良い。
【００４０】
具体的なスピーカシステム２０の基本構成は、ゲルを封入して剛性を確保した穴明きマット式のバッフル板を形成するゲル板２１の穴２３の背後から、その穴２３を塞ぐような位置関係で、中小型軽量のスピーカユニット１を、ゲル板２１に柔軟に取り付けておき、このスピーカユニット１の外形に沿って嵌合させる凹部２４を設けた直方体のカールロック部材２２を、ゲル板２１の背面に固定すれば良い。
【００４１】
尚、図２に示したゲル板２１は平板であるが、樋状（図示せず）になっていれば、スピーカシステム２０が円柱形の仕上がりになるので、おもしろいデザインが可能となる。これが請求項９にいう「板状又樋状に形成」の意味するところである。ただし、その場合は穴２３の周辺に気密性を保持するための配慮を要する。
【００４２】
カールロック部材２２が、請求項３にいう「ゲル板（２１）の背後で前記スピーカユニット（１）を背面から被覆可能な吸音部材（２２）」であり、請求項４にいう「吸音部材（２２）として安定的に自立可能な外観形状を維持する材料」でもある。
【００４３】
このスピーカシステム２０は、重低音も含めて澄んだ音を高忠実度で再生できることが、実験により確認されており、スピーカユニット１の外、基本的には、ゲル板２１と、カールロック部材２２との僅か２点の部品点数で、組み立て容易なため、従来の同等品よりも安価に提供できる。
【００４４】
又、カールロック部材２２における凹部２４の仕上げ精度の程度によっては、防護用の後スクリーン８（図１にのみ表示）は不要であり、スピーカシステム２０の全体を枠無しのサランネット（図示せず）で被覆すれば、破損しやすい振動板２の前面防護と、全体的なデザイン及び強度の問題までも解決できる。
【００４５】
尚、カールロック部材２２は、ペットボトルの再生利用品「カールロック（高木化学研究所の登録商標）」のことであり、これを用いて良好な結果を得た。
【００４６】
［第３の実施形態］
図３は本発明による第３の実施形態を示すスピーカシステム３０の断面図であり、吸音材は用いずに、ゲル板３１の穴１５の縁部３４にスピーカユニット１のフレーム周面３６を接着し、ネジ３５も併用してスピーカ取り付け金具３７と縁部３４の間にフレーム周面３６を挟持するように固定している。なお、対面する膜Ｊ，Ｋを封じた袋でなるゲル板３１の縁部３２，３４は、シリコンゴムの厚みを増して堅固にできており、ネジ穴等を貫通しても、袋の気密は保たれる構造である。
【００４７】
従って、経年劣化に関して接着剤よりも信頼性の高いネジ３５を併用していれば、スピーカユニット１の貼着部が、経年劣化して接着力が低下しても、天井または壁に取りつけられたスピーカシステム３０のゲル板３１から、スピーカユニット１が脱落する危険もなく、吊り金具４０により安心して高所に取りつけて利用することができる。
【００４８】
このスピーカシステム３０は、前述したパッシブ・ラジエターとして、重低音を生かすように動作する。すなわち、ゲル板３１の材質としての特徴と、ゲル板３１にスピーカユニット１が柔軟に組み合わされた取りつけ構造に特徴があり、図３に開示した通りに構成すれば、重低音まで含んで濁りのない澄んだ音色が高忠実度で再生できる。なお、スピーカユニット１の中心から半径４５センチを含む大きさのゲル板３１を備えた設計によれば、特に重低音の減衰を少なくし、逆に小さすぎれば、ゲル板３１の前後で逆位相の音波が相殺するので、減衰してしまう。
【００４９】
又、製造上の問題として、前記２枚の膜Ｊ，Ｋの縁部を封じてなる袋を構成する膜Ｊ，Ｋの膜厚Ａが０．２ミリメートルより薄ければ希望する形状維持と品質維持が困難になる。ゴム風船のような袋では、膜自体に弾力的展性があり過ぎて所定の形状維持ができず、破れやすいので耐久性が足りない。
【００５０】
一方、前記膜Ｊ，Ｋの膜厚Ａが２ミリメートルを超えれば形状維持と品質維持に優れていても、シリコンゴムの硬さが吸振作用を弱めてしまう。
現段階においては、かろうじて自己形状を維持する程度の粘性、剛性と弾性を有する材質でなるゼラチン又はこんにゃく状のゲルを膜厚Ａが１ミリメートルのシリコンゴム製の袋に封入した結果が最善であった。
【００５１】
ただし、将来は材料技術の進歩に伴って、シリコンゴム製の袋にゲルを封入する以外の材料による組み合わせを提案できることが予想される。従って、請求項１にいう、「対面する膜（Ｊ），（Ｋ）の縁部（１２）を封じてなる袋の間隙（ｔ）に充填物が充填されることにより板厚（Ｗ）と剛性を保持するゲル板（１１），（２１），（３１）に穴（１５），（１６），（２３）を設け、該穴（１５），（１６），（２３）を塞ぐようにスピーカユニット（１）を配設したことを特徴とするスピーカシステム」に該当するものは本発明に含まれるものと見なし得る。
【００５２】
なお、板厚Ｗと剛性を保持するゲル板２１，３１の材料に関する等価交換実験として、玄関用靴底清掃マット等に用いられているゴムマットを用いても、可聴周波数の範囲内で、例えば１００Ｈｚ前後の低域では本発明に近似する効果を得られている。この等価交換実験の結果として、フレーム３を柔軟に吸振部材で保持するゴムマットは重低音に効果的だが、人の肉声に近い周波数２〜３ＫＨｚの中域以上の音波に対しては、ゲル板２１，３１の材質としての特徴によって、重低音とともに、特別な高忠実度再生の効果が得られることが、立証された。
【００５３】
【発明の効果】
請求項１に係る発明によれば、ゲル板によるバッフル板が形成され、濁り音、歪音の原因になる不正振動をゲル板が吸収し、かつパッシブ・ラジエターとしての効果も発揮できる。
【００５４】
又、この再生音は特定の共振周波数を不自然に強調しないので、聴取者を飽きさせず、疲労させず、会話を遮る度合いが少ないので、聞いていて心地よい。
【００５５】
そして、ゲル板を嵩張らせるように封入される充填物が抜かれていれば、ゲル板の形状を維持していた剛性が失われ、体積は収縮するので、スピーカシステムが不要になってから廃棄処分する時の外、組み立て前の構成部品が嵩張らずに済む。
【００５６】
請求項２に係る発明によれば、充填物としてゲルを封入したので、濁りのない澄んだ音を出せる。
【００５７】
請求項３に係る発明によれば、スピーカユニットの外、ゲル板と吸音部材の僅か２点でスピーカシステムを構成できる。
【００５８】
請求項４に係る発明によれば、吸音部材の前記凹部にスピーカユニットを、嵌め込んでゲル板を覆い被せるだけの僅かで容易な工程により組み立てることができる。
【００５９】
請求項５に係る発明によれば、通常の寝具店でも枕の材料として販売されている安価で入手容易な材料により簡単に製造できる。
【００６０】
請求項６に係る発明によれば、本発明の実施者にとっては、失敗せず、試行錯誤の無駄も無く、最も効果的な結果を確実に得られる。
【００６１】
請求項７に係る発明によれば、金型成形等による大量生産対応に適し、製造単価を下げることができる。
【００６２】
請求項８に係る発明によれば、本発明の実施者にとっては、失敗せず、試行錯誤の無駄も無く、最も効果的な結果を確実に得られる。
【００６３】
請求項９に係る発明によれば、所望のデザインの形状が容易に実現できる。例えば、スピーカシステムの全体を球形、半球形、饅頭形、筒形、あるいは紡錘形の縦断面等、いかようにも形成できるので、デザインの自由度が高い。
【００６４】
【図面の簡単な説明】
【図１】本発明による第１の実施形態を示すスピーカシステムの断面図である。
【図２】本発明による第２の実施形態を示すスピーカシステムの断面図である。
【図３】本発明による第３の実施形態を示すスピーカシステムの断面図である。
【符号の説明】
１  スピーカユニット
２  振動板
３  フレーム
４  永久磁石
５  ギャップ
６  ボイスコイル
７  前スクリーン
８  後スクリーン
９  充填物、ゲル
１０，２０，３０  スピーカシステム
１１，２１，３１  ゲル板
１２，３２，３４  縁部
１３  ネット
１４  硬質樹脂短管
１５，１６，２３  穴
２２  カールロック部材
２４  凹部
３５  ネジ
３６  フレーム周面
３７  スピーカ取り付け金具
４０  吊り金具
Ａ  膜厚
Ｊ，Ｋ  膜
Ｗ  板厚
ｔ  間隙
Ｆ  矢印
Ｒ  矢印
【図１】
2004312471.tif 000003
【図２】
2004312471.tif 000004
【図３】
2004312471.tif 000005